(57)【要約】      （修正有）【課題】成人一般は元より、幼児あるいは高齢者においても熱中症およびウィルス性感冒に対する罹患の確率を一意的に認識することができる小型の携帯型健康管理装置を提供する。【解決手段】モード切替スイッチ５により熱中症予防モードまたは風邪予防モードのいずれかを選択可能となるようにし、前記モード切替スイッチにより熱中症予防モードが選択されたとき、制御部に入力する温度センサーおよび湿度センサーからの信号に基づいて表示部に実時間で環境温度および環境湿度を表示するとともに、複数のＬＥＤインジケータ６ａ〜６ｄにより熱中症の罹患確率を段階表示する一方、前記モード切替スイッチにより風邪予防モードが選択されたとき、前記制御部に入力する温度センサーおよび湿度センサーからの信号に基づいて前記表示部に実時間で環境温度および環境湿度を表示するとともに、前記複数のインジケータにより風邪の罹患確率を段階表示する携帯型健康管理装置となる。【選択図】図１
0003171699.tif 000002
【実用新案登録請求の範囲】
【請求項１】
可搬性を備えた筐体の内部に電池駆動される集積化された制御部と、該制御部に接続された温度センサー、湿度センサーを設け、前記筐体の表面に機能要素が露呈する複数のインジケータ、モード切替スイッチ、表示部、電源スイッチを前記制御部に接続してなる携帯型健康管理装置において、
前記モード切替スイッチにより熱中症予防モードまたは風邪予防モードのいずれかを選択可能となるようにし、
前記モード切替スイッチにより熱中症予防モードが選択されたとき、前記制御部に入力する温度センサーおよび湿度センサーからの信号に基づいて前記表示部に実時間で環境温度および環境湿度を表示するとともに、前記複数のインジケータにより熱中症の罹患確率を段階表示する一方、
前記モード切替スイッチにより風邪予防モードが選択されたとき、前記制御部に入力する温度センサーおよび湿度センサーからの信号に基づいて前記表示部に実時間で環境温度および環境湿度を表示するとともに、前記複数のインジケータにより風邪の罹患確率を段階表示するようにしたことを特徴とする携帯型健康管理装置。
【請求項２】
前記複数のインジケータは各々が異なる色彩で発光するようにしたことを特徴とする請求項１記載の携帯型健康管理装置。
【請求項３】
前記筐体の内部に前記制御部により発音制御される発音器を設け、前記複数のインジケータの任意に定めた点灯段階で前記発音器から警告音が発せられるようにしたことを特徴とする請求項１記載の携帯型健康管理装置。
【考案の詳細な説明】
【技術分野】
【０００１】
本考案は、熱中症および風邪の罹患可能性を警告できるようにしたもので、特に夏季および冬季において人体に影響を与える気象条件の悪化を速やかに認知できるように、小型にして可搬性に優れた携帯型健康管理装置に関するものである。
【背景技術】
【０００２】
従来から人体の健康管理に関する各種の機械器具が開発されているが、その多くは人体の変調などを直接的に監視し、健康管理に関する警告を与えようとするものである（例えば、特許文献１参照）。かかる特許文献１に開示された技術は、人体の血圧、脈拍、体温を監視し、異常状態が発生した場合にこれを報知するようにしたもので、環境の変化、即ち、温度、湿度の変化から人体が受けた悪影響を生理的データに基づいて報知するようにしたものであり、事前に対処を促すという予防的機能を備えるものではない。
【０００３】
ところで、熱中症はスポーツ活動のみでなく、日常の家庭や職場においても罹患することが知られている。この熱中症の予防対策として、「日常生活における熱中症予防の指針」が日本生気象学会により示されている。この指針では、ＷＢＧＴ（Wet-Bulb Globe Temperature ／ 湿球黒球温度 ）を「温度基準」に採用し、その温度レベルによって「危険：３１℃以上」、「厳重警戒：２８〜３１℃」、「警戒：２５〜２８℃」、「注意：２５℃未満」の４段階に分けられている。
【０００４】
また、風邪の罹患はインフルエンザウィルス（ウィルス性感冒）による場合が顕著であり、このインフルエンザウィルスの生存は、空気中に含まれる水蒸気（絶対湿度ｇ／ｍ2）との関係があることが知られている。即ち、その湿度レベルによって「危険：７ｇ／ｍ2」、「厳重警戒：７〜１１ｇ／ｍ2」、「警戒：１１〜１７ｇ／ｍ2」、「ほぼ安全：１７ｇ／ｍ2」の４段階に分けられる。
【先行技術文献】
【特許文献】
【０００５】
【特許文献１】特開平１１−２０６７２１号公報
【考案の概要】
【考案が解決しようとする課題】
【０００６】
このように、熱中症あるいはインフルエンザウィルスによる風邪の罹患確率を暫定基準と対比して定量的に判断することができるものの、温度、湿度を計測できる器具を日常的に携行することは煩わしいことであり、通常、直感的判断で温度、湿度を判断していることから、罹患率を低下させることができないのが現実である。
【０００７】
このような状況においては、成人一般においても環境の温度、湿度を把握していることは重要であるが、特に幼児、高齢者のような病的弱者ほど熱中症、風邪に対する予防認識が相対的に低く、機械器具を用いてこれを予防しようとする意識が乏しいのが実状である。したがって、熱中症あるいは風邪の好発状況を一意に認知することができ、携行に煩わしくない装置が要望されるに至った。本発明は、かかる要望に基づいてなされたもので、一体化された一つの装置で、モード切替スイッチにより熱中症モードと風邪モードへの対応が可能となるようにした携帯型健康管理装置を提供することを目的とするものである。
【課題を解決するための手段】
【０００８】
そこで本考案は、以下に述べる各手段により上記課題を解決するようにした。即ち、請求項１記載の考案では、可搬性を備えた筐体の内部に電池駆動される集積化された制御部と、該制御部に接続された温度センサー、湿度センサーを設け、前記筐体の表面に機能要素が露呈する複数のインジケータ、モード切替スイッチ、表示部、電源スイッチを前記制御部に接続してなる携帯型健康管理装置において、前記モード切替スイッチにより熱中症予防モードまたは風邪予防モードのいずれかを選択可能となるようにし、前記モード切替スイッチにより熱中症予防モードが選択されたとき、前記制御部に入力する温度センサーからの信号に基づいて前記表示部に実時間で環境温度を表示するとともに、前記複数のインジケータにより熱中症の罹患確率を段階表示する一方、前記モード切替スイッチにより風邪予防モードが選択されたとき、前記制御部に入力する温度センサーおよび湿度センサーからの信号に基づいて前記表示部に実時間で環境温度および環境湿度を表示するとともに、前記複数のインジケータにより風邪の罹患確率を段階表示する携帯型健康管理装置となるようにする。
【０００９】
請求項２記載の考案では、上記請求項１記載の携帯型健康管理装置において、前記複数のインジケータは各々が異なる色彩で発光するようにする。
【００１０】
請求項３記載の考案では、上記請求項１記載の携帯型健康管理装置において、前記筐体の内部に前記制御部により発音制御される発音器を設け、前記複数のインジケータの任意に定めた点灯段階で前記発音器から警告音が発せられるようにする。
【考案の効果】
【００１１】
本考案の携帯型健康管理装置によれば、集積化された制御部に温度センサー、湿度センサーを接続し、この両センサーからの信号に基づいて罹患確率に対応するインジケータを段階的に発光するようにしたので、成人一般は元より、幼児あるいは高齢者においても熱中症および風邪に対する罹患の確率を一意的に認識することができる。また、小型化が可能であるので、携帯性に優れ日常の健康管理が容易となる。
【図面の簡単な説明】
【００１２】
【図１】本考案の携帯型健康管理装置の外観の平面図である。
【図２】本考案の携帯型健康管理装置の電気系構成図である。
【図３】本考案の携帯型健康管理装置の処理の流れを示す図である。
【考案を実施するための形態】
【００１３】
本考案の実施の形態を図に基づいて以下に説明する。図１は、本考案の携帯型健康管理装置１の外観の平面図であり、合成樹脂により成型された筐体２の窓孔２ａには表示素子３の表示面が臨むように配設されている。そして、前記窓孔２ａの右側部には電源スイッチ４、左側部にはモード切替スイッチ５が設けられ、更にその左側部には発光色の異なる複数のＬＥＤインジケータ６ａ、６ｂ、６ｃ、６ｄが設けられている。なお、前記筐体２の中央部の上下端に形成された窓孔２ｂ、２ｃには、後述する温度センサー８、湿度センサー９、発音器１１が内部から臨むようにしてある。
【００１４】
図２は、本考案の携帯型健康管理装置１の電気系の構成を示すブロック図であり、同図に示すようにマイクロプロセッサーを含む集積化された制御部（ＣＰＵ）１０に温度センサー８、湿度センサー９、発音器１１、そして前記表示素子３、ＬＥＤインジケータ６ａ、６ｂ、６ｃ、６ｄが接続され、制御部１０により駆動制御される。なお、制御部１０には小型の電池（ボタン電池など）７が接続され、この電池７からの電流の断接を電源スイッチ４により行う。また、モード切替スイッチ５により「熱中症予防モード」または「風邪予防モード」を制御部１０に選択指示する。
【００１５】
以上の電気系の構成において、ＬＥＤインジケータ６ａ、６ｂ、６ｃ、６ｄの制御部１０による点灯時期の制御を以下の例のように設定する。即ち、熱中症に対する危険（３１℃以上）または風邪に対する危険（７ｇ／ｍ2）を警告する場合はＬＥＤインジケータ６ａを赤色点灯し、熱中症に対する厳重注意（２８〜３１℃）または風邪に対する厳重注意（７〜１１ｇ／ｍ2）を警告する場合はＬＥＤインジケータ６ｂを橙色点灯する。そして、熱中症に対する警戒（２５〜２８℃）または風邪に対する警戒（１１〜１７ｇ／ｍ2）を警告する場合はＬＥＤインジケータ６ｃ黄色点灯し、熱中症に対する注意（２５℃未満）または風邪に対するほぼ安全（１７ｇ／ｍ2以下）を警告する場合はＬＥＤインジケータ６ｄを緑色点灯する。
【００１６】
図３は、図２に示した電気系の構成における制御の流れを示すもので、電源スイッチ４の操作により電池７からの電源の供給が確認されると（ステップＳ１）、モード切替スイッチ５の切替方向が判断（Ｙ１／Ｙ２）される（ステップＳ２）。このステップＳ２において「熱中症予防モード」が選択されていると判断されると、温度センサー８および湿度センサー９からの信号を検出する（ステップＳ３）。このようにして検出された各信号値は、温度・湿度基準値と比較され（ステップＳ４）、その判定結果に基づいてＬＥＤインジケータ６ａ〜６ｄのいずれかを点灯する（ステップＳ５）。
【００１７】
一方、ステップＳ２において「風邪予防モード」が選択されていると判断されると、温度センサー８および湿度センサー９からの信号を検出する（ステップＳ６）。このようにして検出された各信号値は、温度・湿度基準値と比較され（ステップＳ７）、プログラム演算された判定結果に基づいてＬＥＤインジケータ６ａ〜６ｄのいずれかを点灯する（ステップＳ８）。
【００１８】
以上のようにしてＬＥＤインジケータ６ａ〜６ｄの点灯において、例えば、厳重警戒を示すＬＥＤインジケータ６ｂの橙色点灯に伴って発音器１１を断続発音させ、あるいは危険を示すＬＥＤインジケータ６ａの赤色点灯に伴って発音器１１を継続発音させることができる。この場合、電源の遮断（スリープモード）を電源スイッチ４の長押しにより行うようにしておくことにより、発音器１１が発音したとき、電源スイッチ４の短押しで発音を中断することができるようにプログラム制御することができる。
【００１９】
以上詳細に説明したように本考案よれば、温度・湿度を検出して環境の状態をＬＥＤインジケータにより段階的に表示するようにしたので、モード切替スイッチの操作のみで熱中症または風邪の罹患確率を年齢層に関わりなく一意的に認識することができる小型の携帯型健康管理装置の提供が可能となる。
【符号の説明】
【００２０】
１・・・・・・携帯型健康管理装置
２・・・・・・筐体
３・・・・・・表示素子
４・・・・・・電源スイッチ
５・・・・・・モード切替スイッチ
６ａ〜６ｄ・・ＬＥＤインジケータ
７・・・・・・電池
８・・・・・・温度センサー
９・・・・・・湿度センサー
１０・・・・・制御部
１１・・・・・発音器
【図１】
0003171699.tif 000003
【図２】
0003171699.tif 000004
【図３】
0003171699.tif 000005